(57)【特許請求の範囲】
【請求項１】
コネクタが取り付けられたワイヤーハーネスの端部を保護するために、前記ワイヤーハーネスの端部を収容可能な筒体を備え、
前記筒体が、前記コネクタの基端部を支持する支持部と、前記ワイヤーハーネスが挿通可能な挿通部とが設けられた略Ｕ字状の本体と、
前記本体の上面開口を覆う蓋部と、
前記本体の上面開口を前記蓋部が覆った状態で維持するために前記挿通部に対応する位置に設けられたロック部とを有するプロテクタであって、
前記支持部を構成する２つの半割体がヒンジ部で連結され、各前記半割体における前記ヒンジ部と逆側に前記挿通部を構成する２つの半割体がそれぞれ連結され、
前記支持部が平面略Ｌ字状に形成されているとともに、前記蓋部が前記支持部の側壁に薄肉ヒンジを介して連結され、
前記ロック部が、前記支持部の平面輪郭線の延長線から外方に突出しないように窪みでない平坦面に設けられていることを特徴とするプロテクタ。
【請求項２】
前記ロック部が突出しないように、前記支持部および前記挿通部が互いに交差連結されていることを特徴とする請求項１に記載のプロテクタ。
【発明の詳細な説明】
【技術分野】
【０００１】
本発明は、コネクタが取り付けられたワイヤーハーネスの端部を保護するプロテクタに関する。
【背景技術】
【０００２】
自動車などの電気系統の接続に使用されるワイヤーハーネスは、その幹線から種々の電気機器に支線が数多く分岐されており、周囲の部品と接触したり、雨や泥などの影響により不具合を起こしたりする心配があるため、合成樹脂性の略樋状のプロテクタが広く使用されている（例えば、特許文献１参照。）。
【特許文献１】特開平１１−８９０４６号公報
【０００３】
図５に示すように、特許文献１のプロテクタ１００は、半割体のプロテクタ本体１０１と、プロテクタカバー１０２が薄肉のヒンジ１０３を介して一体に連結されている。
このプロテクタ本体１０１には係合突起１０４Ａが突設され、プロテクタカバー１０２には係合枠部１０５が設けられている。
【０００４】
係合枠部１０５の係合孔に係合突起１０４Ａを嵌合することで、プロテクタ本体１０１とプロテクタカバー１０２とを閉じた状態にロックする。この際に、プロテクタ本体１０１に備えた保持部１０４Ｂで、係合枠部１０５をロック位置に保持する。
すなわち、係合突起１０４Ａ、保持部１０４Ｂおよび係合枠部１０５はロック部１０６を形成する。
【０００５】
また、プロテクタ本体１０１の一端の内周には嵌合溝１０７が形成され、プロテクタカバー１０２の他端の内周にも嵌合溝１０７が形成されている。これらの嵌合溝１０７には、コネクタ１０８の鍔部１０９が係合される。
一方、プロテクタ本体１０１の他端には、ワイヤーハーネス１１１を収納する凹部１１２が形成され、プロテクタカバー１０２の他端にも、ワイヤーハーネス１１１を収納する凹部１１２が形成されている。
【０００６】
このプロテクタ１００にワイヤーハーネス１１１を組み付ける際には、先ずコネクタ１０８の鍔部１０９をプロテクタ本体１０１の嵌合溝１０７に係合する。次に、プロテクタ本体１０１の凹部１１２にワイヤーハーネス１１１を収納する。
次いで、プロテクタカバー１０２を、ヒンジ１０３を弾性変形させることで、矢印方向に回動し、係合突起１０４Ａに係合枠部１０５を係合させる。
プロテクタ本体１０１をプロテクタカバー１０２で覆い、プロテクタ１００内にワイヤーハーネス１１１の電線１１３を収納する。これにより、電線１１３をプロテクタ１００で覆って保護できる。
【発明の開示】
【発明が解決しようとする課題】
【０００７】
しかし、プロテクタ本体１０１およびプロテクタカバー１０２を閉じた状態にロックするために、プロテクタ本体１０１に、ロック部１０６の一方の係合突起１０４Ａおよび保持部１０４Ｂを設け、かつプロテクタカバー１０２に、ロック部１０６の他方の係合枠部１０５を設ける必要がある。
【０００８】
このため、プロテクタ本体１０１とプロテクタカバー１０２とをロック部１０６でロックした際に、ロック部１０６がコネクタ１００の最外側１００Ａから外方（上方）にｈだけ突出した状態になる。
コネクタ１００から突出したロック部１０６を収納するために、コネクタ１００の上側に比較的大きなスペース１１５を確保する必要があり、そのことがスペースを有効に利用する妨げになっていた。
【０００９】
本発明は、コネクタの最外側からロック部が外方に突出しないように構成したプロテクタを提供することを目的とする。
【課題を解決するための手段】
【００１０】
前述した目的を達成するために、本発明のプロテクタは、コネクタが取り付けられたワイヤーハーネスの端部を保護するために、前記ワイヤーハーネスの端部を収容可能な筒体を備え、前記筒体が、前記コネクタの基端部を支持する支持部と、前記ワイヤーハーネスが挿通可能な挿通部とが設けられた略Ｕ字状の本体と、前記本体の上面開口を覆う蓋部と、前記本体の上面開口を前記蓋部が覆った状態で維持するために前記挿通部に対応する位置に設けられたロック部とを有するプロテクタであって、前記支持部を構成する２つの半割体がヒンジ部で連結され、各前記半割体における前記ヒンジ部と逆側に前記挿通部を構成する２つの半割体がそれぞれ連結され、前記支持部が平面略Ｌ字状に形成されているとともに、前記蓋部が前記支持部の側壁に薄肉ヒンジを介して連結され、前記ロック部が、前記支持部の平面輪郭線の延長線から外方に突出しないように窪みでない平坦面に設けられていることを特徴としている。
【００１１】
本発明のプロテクタによれば、前記支持部を構成する２つの半割体がヒンジ部で連結され、各前記半割体における前記ヒンジ部と逆側に前記挿通部を構成する２つの半割体がそれぞれ連結され、前記支持部が平面略Ｌ字状に形成されているとともに、前記蓋部が前記支持部の側壁に薄肉ヒンジを介して連結され、前記ロック部が、前記支持部の平面輪郭線の延長線から外方に突出しないように窪みでない平坦面に設けられるように構成した。
よって、支持部を収納するスペースを確保するだけで、このスペースにロック部を収納することが可能になる。
これにより、コネクタを収納するスペースを小さく抑えることができる。
また、支持部を平面略Ｌ字状に形成することで、支持部の側壁をある程度大きく確保でき、ロック部を、支持部の範囲内に納めることができる。
また、支持部の側壁の長さをある程度大きく確保することで、ワイヤーハーネスの端部
を好適な曲げ状態で曲げた状態で、ワイヤーハーネスをプロテクタに取り付けることがで
きる。
【００１２】
本発明は、前記ロック部が突出しないように、前記支持部および前記挿通部が互いに交差連結されていることを特徴としている。
【００１３】
支持部に対して挿通部を交差させることで、支持部の平面輪郭線から延長した延長線の内側に挿通部を配置できる。この挿通部にロック部を設けることで、ロック部を、支持部の平面輪郭線の延長線から外方に突出しないようにできる。
このように、支持部に対して挿通部を交差させるだけの簡単な構成で、ロック部を、支持部の平面輪郭線の延長線から外方に突出しないようにできるので、コネクタの形状を簡素に保つことが可能で、かつ生産性を確保することも可能である。
【発明の効果】
【００１６】
本発明のプロテクタによれば、前記支持部を構成する２つの半割体がヒンジ部で連結され、各前記半割体における前記ヒンジ部と逆側に前記挿通部を構成する２つの半割体がそれぞれ連結され、前記支持部が平面略Ｌ字状に形成されているとともに、前記蓋部が前記支持部の側壁に薄肉ヒンジを介して連結され、前記ロック部が、前記支持部の平面輪郭線の延長線から外方に突出しないように窪みでない平坦面に設けられ、支持部を収納するスペースにロック部を収納することで、コネクタを収納するスペースを小さく抑え、スペースを有効に利用できるという効果が得られる。
【発明を実施するための最良の形態】
【００１７】
以下、本発明に係る実施形態を図面に基づいて詳細に説明する。図１は本発明に係る第１参考例のプロテクタを示す斜視図、図２は本発明に係る第１参考例のプロテクタを示す平面図、図３は本発明に係る第１参考例のプロテクタを示す側面図、図４（Ａ）〜（Ｃ）は本発明に係る第２参考例、第３参考例及び実施形態のプロテクタを示す平面図である。
【００１８】
図１に示す第１参考例のプロテクタ１０は、コネクタ１１が取り付けられたワイヤーハーネス１２の端部１２Ａを保護するために、ワイヤーハーネス１２の端部１２Ａを収容可能な筒体１３を備える。
筒体１３は、コネクタ１１およびワイヤーハーネス１２の端部１２Ａを収納可能な略Ｕ字状の本体１４と、本体１４の上面開口１４Ａを覆う蓋部１５と、本体１４の上面開口１４Ａを蓋部１５が覆った状態に維持するロック部１６とを有する。
【００１９】
本体１４は、コネクタ１１の基端部１１Ａを支持する支持部１７と、ワイヤーハーネス１２が挿通可能な挿通部１８とを備える。
この挿通部１８および蓋部１５に、ロック部１６を有する。ロック部１６については後述する。
【００２０】
ワイヤーハーネス１２は、複数の電線２２を束ねたもので、各々の電線２２の端部１２Ａにコネクタ１１を接続したものである。コネクタ１１は、基端部１１Ａに取付溝１１Ｂを備えるとともに、フランジ１１Ｃを備える。
このコネクタ１１の基端部１１Ａを支持部１７で支持する。支持部１７は、中空部２３を備え、コネクタ１１の取付溝１１Ｂに嵌合する内鍔２４を備え、かつフランジ１１Ｃを嵌合する取付溝２５を備える。
【００２１】
図２に示すように、支持部１７には挿通部１８が角度θで交差するように設けられている。角度θは、一例として３０°が好適であるが、３０°に限るものではない。
挿通部１８は、中空部２３に連通する凹部２６を備え、凹部２６の内周２７に３個のリブ２８を備える。
さらに、挿通部１８は、外壁２９（図３も参照）の両側に、ロック部１６の一方を構成する、１対の係合枠部３１を備えるとともに、各々の係合枠部３１の差込開口３１Ａ内に係止爪３２を備える。
【００２２】
支持部１７の側壁１７Ｂに、薄肉ヒンジ３４を介して蓋部１５が連結されている。蓋部１５は、支持部１７を覆う支持部用カバー３６と、挿通部１８を覆う挿通部用カバー３７とからなる。
図２に示すように、支持部用カバー３６には挿通部用カバー３７が角度θで交差するように設けられている。
【００２３】
加えて、前述したように、支持部１７および挿通部１８が互いに角度θで交差連結されている。
このように、支持部１７に対して挿通部１８を角度θで交差させ、支持部用カバー３６に対して挿通部用カバー３７を角度θで交差させるだけの簡単な構成で、図２に示すように、ロック部１６が、支持部１７の平面輪郭線１７Ａの延長線２１、および支持部用カバー３６の平面輪郭線３６Ａの延長線４４から外方に突出しないように設けられている。
【００２４】
加えて、ロック部１６が、支持部１７の平面輪郭線１７Ａの延長線２１、および支持部用カバー３６の平面輪郭線３６Ａの延長線４４から外方に突出しないので、支持部１７を収納するスペース４６（図２参照）を確保するだけで、このスペース４６にロック部１６を収納することが可能になる。
よって、コネクタ１１を収納するスペースを小さく抑えることができる。
【００２５】
支持部用カバー３６は、支持部１７を覆うことで中空部２３を塞ぐ部材で、コネクタ１１の取付溝１１Ｂに嵌合する内鍔３８を備え、かつフランジ１１Ｃを嵌合する取付溝３９を備える。
挿通部用カバー３７は、挿通部１８を覆うことで凹部２６を塞ぐ部材で、挿通部１８の内周２７のリブ２８に合わせて、内周４０に３個のリブ４１を備える。
さらに、挿通部用カバー３７は、外壁４２の両側に、ロック部１６の他方を構成する、１対の係合部４３を備える。
【００２６】
係合部４３は、挿通部１８を挿通部用カバー３７で覆った際に、挿通部１８に設けた係合枠部３１の差込開口３１Ａ（図２も参照）に差し込まれる。
係合部４３が係合枠部３１の差込開口３１Ａに差し込まれる際に、係合部４３が段性変形して、係合部４３の開口４３Ａ（図３も参照）が挿通部１８の係止爪３２に嵌合する。
これにより、筒体１３を蓋体１５で覆った状態にロックする。
【００２７】
筒体１３の支持部１７と、蓋体１５の支持部用カバー３６とを薄肉ヒンジ３４で連結することで、薄肉ヒンジ３４を弾性変形させて、薄肉ヒンジ３４を軸にして蓋体１５を筒体１３に向けて揺動できる。これにより、筒体１３に蓋体１５を重ね合わせ、筒体１３を蓋体１５で覆うことができる。
【００２８】
次に、第２参考例、第３参考例及び実施形態を図４（Ａ）〜（Ｃ）に基づいて説明する。なお、第２参考例、第３参考例及び実施形態において第１参考例と同一類似部材については同一符号を付して説明を省略する。
第２参考例
図４（Ａ）に示す第２参考例のプロテクタ５０は、支持部１７および挿通部１８を直線上に連結し、挿通部１８の中央部１８Ａを、支持部１７の平面輪郭線１７ＡからＨだけ下方にズラし、中央部１８Ａに、ロック部１６の一方を構成する、１対の係合枠部３１を備えるとともに、各々の係合枠部３１の差込開口３１Ａ内に係止爪３２を備える。
【００２９】
さらに、プロテクタ５０は、支持部用カバー３６および挿通部用カバー３７を直線上に連結し、挿通部用カバー３７の中央部３７Ａを、支持部用カバー３６の平面輪郭線３６ＡからＨだけ下方にズラし、中央部３７Ａに、ロック部１６の他方を構成する、１対の係合部４３を備える。
これにより、ロック部１６が、支持部１７の平面輪郭線１７Ａの延長線２１、および支持部用カバー３６の平面輪郭線３６Ａの延長線４４から外方に突出しないように設けられている。
よって、第２参考例のプロテクタ５０によれば、第１参考例のプロテクタ１０と同様の効果を得ることができる。
【００３０】
第３参考例
図４（Ｂ）に示す第３参考例のプロテクタ６０は、支持部１７の平面輪郭線１７Ａに対して挿通部１８をＨだけ下方にズラして連結し、挿通部１８に、ロック部１６の一方を構成する、１対の係合枠部３１を備えるとともに、各々の係合枠部３１の差込開口３１Ａ内に係止爪３２を備える。
【００３１】
さらに、プロテクタ６０は、支持部用カバー３６の平面輪郭線３６Ａに対して挿通部用カバー３７をＨだけ下方にズラして連結し、挿通部用カバー３７に、ロック部１６の他方を構成する、１対の係合部４３を備える。
これにより、ロック部１６が、支持部１７の平面輪郭線１７Ａの延長線２１、および支持部用カバー３６の平面輪郭線３６Ａの延長線４４から外方に突出しないように設けられている。
よって、第３参考例のプロテクタ６０によれば、第１参考例のプロテクタ１０と同様の効果を得ることができる。
【００３２】
実施形態
図４（Ｃ）に示す本発明に係る実施形態のプロテクタ７０は、支持部１７が平面略Ｌ字状に形成されているとともに、支持部用カバー３６が平面略Ｌ字状に形成され、支持部用カバー３６が支持部１７の側壁１７Ｂに薄肉ヒンジ３４を介して連結されている。
これにより、支持部１７の側壁１７Ｂの長さ＋コネクタの長さＬをある程度大きく確保でき、ロック部１６を、側壁１７Ｂの長さ＋コネクタの長さＬの範囲内に納めることができる。
【００３３】
また、支持部１７の側壁１７Ｂの長さ＋コネクタの長さＬをある程度大きく確保することで、ワイヤーハーネス１２の端部１２Ａ、すなわち電線を好適な曲げ状態で曲げた状態で、ワイヤーハーネス１２をプロテクタ７０に取り付けることができる。
加えて、本発明に係る実施形態のプロテクタ７０によれば、第１参考例のプロテクタ１０と同様の効果を得ることができる。
【００３４】
なお、前記実施形態では、筒体１３の支持部１７と、蓋体１５の支持部用カバー３６とを薄肉ヒンジ３４で連結し、薄肉ヒンジ３４を弾性変形させて筒体１３に蓋体１５を被せるように構成した例について説明したが、筒体１３と蓋体１５とを薄肉ヒンジ３４で連結しないでそれぞれ別体とすることも可能である。
【００３５】
その他、前述した実施形態において例示した筒体１３，蓋体１５，ロック部１６，支持部１７，挿通部１８，薄肉ヒンジ３４等の材質，形状，寸法，形態，数，配置個所等は本発明を達成できるものであれば任意であり、限定されない。
【図面の簡単な説明】
【００３６】
【図１】本発明に係る第１参考例のプロテクタを示す斜視図である。
【図２】本発明に係る第１参考例のプロテクタを示す平面図である。
【図３】本発明に係る第１参考例のプロテクタを示す側面図である。
【図４】（Ａ）〜（Ｃ）は本発明に係る第２参考例、第３参考例及び実施形態のプロテクタを示す平面図である。
【図５】従来のプロテクタを示す平面図である。
【符号の説明】
【００３７】
１０，５０，６０，７０  プロテクタ
１１  コネクタ
１１Ａ  コネクタの基端部
１２  ワイヤーハーネス
１２Ａ  ワイヤーハーネスの端部
１３  筒体
１４  本体
１４Ａ  上面開口
１５  蓋部
１６  ロック部
１７  支持部
１７Ａ  平面輪郭線
１７Ｂ  支持部の側壁
１８  挿通部
２１  延長線
３４  薄肉ヒンジ
【図１】
0004606057.tif 000002
【図２】
0004606057.tif 000003
【図３】
0004606057.tif 000004
【図４】
0004606057.tif 000005
【図５】
0004606057.tif 000006